(57)【要約】本発明は、上り情報の送信方法、装置、システムおよび記憶媒体を提供する。当該方法は、同一サブフレームで第１の上り情報および第２の上り情報を送信するための上り送信アンテナを確定し、当該第１の上り情報は、上りサウンディング参照信号ＳＲＳを含み、当該第２の上り情報は、上りトラフィックチャネル信号、上り制御チャネル信号のうちの少なくとも１つを含むことと、確定した前記上り送信アンテナを用いて第１の上り情報および第２の上り情報の送信処理を実行することと、を含む。【選択図】図２
2020527319.tif 000002
【特許請求の範囲】
【請求項１】
同一サブフレームで第１の上り情報および第２の上り情報を送信するための上り送信アンテナを確定することと、
確定した前記上り送信アンテナを用いて前記第１の上り情報および前記第２の上り情報の送信処理を実行することと、を含み、
前記第１の上り情報は、上りサウンディング参照信号ＳＲＳを含み、前記第２の上り情報は、上りトラフィックチャネル信号、上り制御チャネル信号のうちの少なくとも１つを含む、上り情報の送信方法。
【請求項２】
同一サブフレームで前記第１の上り情報および前記第２の上り情報を送信するための前記上り送信アンテナを確定することは、
マルチアンテナにおいて無線アクセスシステムデバイスへ前記第１の上り情報をラウンド送信することと、
前記無線アクセスシステムデバイスからの第１の指示メッセージを受信し、前記第１の指示メッセージは、前記マルチアンテナのうち前記第２の上り情報を送信するためのアンテナを指示するために用いられ、指示した前記アンテナは、前記無線アクセスシステムデバイスが前記マルチアンテナにおいてラウンド送信する前記第１の上り情報に基づいて確定されるものであることと、
前記第１の指示メッセージにより指示されるアンテナが前記上り送信アンテナであることを確定することと、を含む、請求項１に記載の方法。
【請求項３】
前記無線アクセスシステムデバイスからの前記第１の指示メッセージを受信することは、
前記無線アクセスシステムデバイスが下り制御情報ＤＣＩにより通知する前記第１の指示メッセージを受信することを含む、請求項２に記載の方法。
【請求項４】
マルチアンテナにおいて前記無線アクセスシステムデバイスへ前記第１の上り情報をラウンド送信した後、前記方法は、
前記無線アクセスシステムデバイスからの第２の指示メッセージを受信することと、
前記第２の指示メッセージに基づき、前記マルチアンテナにおいて前記無線アクセスシステムデバイスへ前記第１の上り情報をラウンド送信することを終了させることと、をさらに含む、請求項２に記載の方法。
【請求項５】
同一サブフレームで前記第１の上り情報および前記第２の上り情報を送信するための前記上り送信アンテナを確定することは、
マルチアンテナによって無線アクセスシステムデバイスからの参照情報を受信することと、
前記参照情報に基づいて前記マルチアンテナから前記上り送信アンテナを確定することと、を含む、請求項１に記載の方法。
【請求項６】
前記参照情報は、参照信号情報、トラフィックチャネル情報のうちの少なくとも１つを含む、請求項５に記載の方法。
【請求項７】
前記参照情報に基づいて前記マルチアンテナから前記上り送信アンテナを確定することは、
前記マルチアンテナによって前記参照情報を受信する受信品質に基づいて前記マルチアンテナから前記上り送信アンテナを選択することを含む、請求項５に記載の方法。
【請求項８】
前記マルチアンテナから、前記無線アクセスシステムデバイスからの前記参照情報を受信した後、前記方法は、
前記マルチアンテナにおける第１のアンテナにおいて前記参照情報を受信する受信品質が他のアンテナよりも高い場合、前記マルチアンテナから前記上り送信アンテナを選択するフローを終了させ、前記第１のアンテナが前記上り送信アンテナであることを確定することをさらに含む、請求項７に記載の方法。
【請求項９】
前記マルチアンテナから前記上り送信アンテナを選択するフローを終了した後、前記方法は、
前記マルチアンテナにおける第２のアンテナにおいて前記参照信号を受信する受信品質が前記第１のアンテナよりも高い場合、前記マルチアンテナから前記上り送信アンテナを選択するフローを再開することをさらに含む、請求項８に記載の方法。
【請求項１０】
前記受信品質は、受信信号強度、信号対雑音比、パスロスのうちの少なくとも１つを含む、請求項７〜９のいずれか一項に記載の方法。
【請求項１１】
確定した前記上り送信アンテナを用いて前記第１の上り情報および前記第２の上り情報の送信処理を実行することは、
無線アクセスシステムデバイスと予め交渉した送信原則に従って前記第１の上り情報および前記第２の上り情報の送信処理を実行することを含み、
前記送信原則は、
前記第１の上り情報および前記第２の上り情報は同一サブフレームにおける上り送信アンテナが同じである場合、前記第１の上り情報と前記第２の上り情報とが同一サブフレームで送信される原則、および
前記第１の上り情報および前記第２の上り情報は同一サブフレームにおける上り送信アンテナが異なる場合、前記第１の上り情報の上り送信アンテナが前記第２の上り情報の上り送信アンテナを用いる送信形態、前記第２の上り情報の上り送信アンテナが前記第１の上り情報の上り送信アンテナを用いる送信形態、前記サブフレームで前記第１の上り情報を送信することを放棄する送信形態、および前記サブフレームで前記第２の上り情報を送信することを放棄する送信形態のうちの少なくとも１つを実行する原則のうちの少なくとも１つを含む、請求項１に記載の方法。
【請求項１２】
同一サブフレームでユーザデバイスＵＥが第１の上り情報および第２の上り情報を送信するための上り送信アンテナを確定し、確定した前記上り送信アンテナを前記ＵＥに指示すること、或いは、
マルチアンテナによってユーザデバイスＵＥへ参照情報を下り送信すること、を含み、
前記参照情報は、前記ＵＥが前記マルチアンテナから第１の上り情報および第２の上り情報を送信するための上り送信アンテナを選択するために用いられ、
前記第１の上り情報は、上りサウンディング参照信号ＳＲＳを含み、前記第２の上り情報は、上りトラフィックチャネル信号、上り制御チャネル信号のうちの少なくとも１つを含む、上り情報の送信方法。
【請求項１３】
同一サブフレームで前記ＵＥが前記第１の上り情報および前記第２の上り情報を送信するための前記上り送信アンテナを確定することは、
前記ＵＥがマルチアンテナにおいてラウンド送信する前記第１の上り情報を受信することと、
受信した前記第１の上り情報に基づいて前記マルチアンテナのうち前記ＵＥが前記第２の上り情報を送信するためのアンテナを確定することと、
前記ＵＥが前記第２の上り情報を送信するアンテナが前記上り送信アンテナであることを確定することと、を含む、請求項１２に記載の方法。
【請求項１４】
受信した前記第１の上り情報に基づいて前記マルチアンテナのうち前記ＵＥが前記第２の上り情報を送信するためのアンテナを確定することは、
前記マルチアンテナから、前記ＵＥが前記第１の上り情報を送信する信号強度の最も大きいアンテナが、前記第２の上り情報を送信するアンテナであることを確定することを含む、請求項１３に記載の方法。
【請求項１５】
確定した前記上り送信アンテナを前記ＵＥに指示することは、
下り制御情報ＤＣＩによって前記ＵＥへ第１の指示メッセージを送信することを含み、
前記第１の指示メッセージは、前記上り送信アンテナを指示するために用いられる、請求項１３に記載の方法。
【請求項１６】
前記ＵＥがマルチアンテナにおいてラウンド送信する前記第１の上り情報を受信した後、前記方法は、
前記マルチアンテナにおける第３のアンテナにおいて前記第１の上り情報を受信する受信品質が他のアンテナよりも高いことを確定した場合、前記ＵＥへ第２の指示メッセージを送信すること、をさらに含み、
前記第２の指示メッセージは、前記ＵＥが前記マルチアンテナにおいて無線アクセスシステムデバイスへ前記第１の上り情報を送信することを終了させることを指示するために用いられる、請求項１３に記載の方法。
【請求項１７】
前記参照情報は、参照信号情報、トラフィックチャネル情報のうちの少なくとも１つを含む、請求項１２に記載の方法。
【請求項１８】
前記方法は、
前記上り情報を送信するための送信原則を前記ＵＥと予め交渉することを含み、
前記送信原則は、
前記第１の上り情報および前記第２の上り情報は同一サブフレームにおける上り送信アンテナが同じである場合、前記第１の上り情報と前記第２の上り情報とが同一サブフレームで送信される原則、および
前記第１の上り情報および前記第２の上り情報は同一サブフレームにおける上り送信アンテナが異なる場合、前記第１の上り情報の上り送信アンテナが前記第２の上り情報の上り送信アンテナを用いる送信形態、前記第２の上り情報の上り送信アンテナが前記第１の上り情報の上り送信アンテナを用いる送信形態、前記サブフレームで前記第１の上り情報を送信することを放棄する送信形態、および前記サブフレームで前記第２の上り情報を送信することを放棄する送信形態のうちの少なくとも１つを実行する原則のうちの少なくとも１つを含む、請求項１２に記載の方法。
【請求項１９】
同一サブフレームで第１の上り情報および第２の上り情報を送信するための上り送信アンテナを確定し、前記第１の上り情報は、上りサウンディング参照信号ＳＲＳを含み、前記第２の上り情報は、上りトラフィックチャネル信号、上り制御チャネル信号のうちの少なくとも１つを含むように構成される第１の確定モジュールと、
確定した前記上り送信アンテナを用いて前記第１の上り情報および前記第２の上り情報の送信処理を実行するように構成される送信モジュールと、を含む、上り情報の送信装置。
【請求項２０】
前記第１の確定モジュールは、
マルチアンテナにおいて無線アクセスシステムデバイスへ前記第１の上り情報をラウンド送信するように構成される送信ユニットと、
前記無線アクセスシステムデバイスからの第１の指示メッセージを受信し、前記第１の指示メッセージは、前記マルチアンテナのうち前記第２の上り情報を送信するためのアンテナを指示するために用いられ、指示した前記アンテナは、前記無線アクセスシステムデバイスが前記マルチアンテナにおいてラウンド送信する前記第１の上り情報に基づいて確定されるものであるように構成される第１の受信ユニットと、
前記第１の指示メッセージにより指示されるアンテナが前記上り送信アンテナであることを確定するように構成される第１の確定ユニットと、を含む、請求項１９に記載の装置。
【請求項２１】
同一サブフレームでユーザデバイスＵＥが第１の上り情報および第２の上り情報を送信するための上り送信アンテナを確定し、確定した前記上り送信アンテナを前記ＵＥに指示するように構成される第２の確定モジュール、或いは、
マルチアンテナによってユーザデバイスＵＥへ参照情報を下り送信し、前記参照情報は、前記ＵＥが前記マルチアンテナから第１の上り情報および第２の上り情報を送信するための上り送信アンテナを選択するために用いられるように構成される下り送信モジュールを含み、
前記第１の上り情報は、上りサウンディング参照信号ＳＲＳを含み、前記第２の上り情報は、上りトラフィックチャネル信号、上り制御チャネル信号のうちの少なくとも１つを含む、上り情報の送信装置。
【請求項２２】
前記第２の確定モジュールは、
前記ＵＥがマルチアンテナにおいてラウンド送信する前記第１の上り情報を受信するように構成される受信ユニットと、
受信した前記第１の上り情報に基づいて前記マルチアンテナのうち前記ＵＥが前記第２の上り情報を送信するためのアンテナを確定するように構成される第３の確定ユニットと、
前記ＵＥが前記第２の上り情報を送信するためのアンテナが前記上り送信アンテナであることを確定するように構成される第４の確定ユニットと、を含む、請求項２１に記載の装置。
【請求項２３】
ユーザデバイスＵＥおよび無線アクセスシステムデバイスを含む上り情報の送信システムであって、
前記ＵＥは、請求項１〜１１のいずれか一項に記載の方法を実行するための第１のプロセッサを含み、
前記無線アクセスシステムデバイスは、請求項１２〜１８のいずれか一項に記載の方法を実行するための第２のプロセッサを含む、上り情報の送信システム。
【請求項２４】
記憶されたプログラムを含む記憶媒体であって、前記プログラムを実行すると、請求項１〜８のいずれか一項の方法を実行する、記憶媒体。
【発明の詳細な説明】
【技術分野】
【０００１】
本発明は、２０１７年０８月０８日に出願された中国特許出願：出願番号２０１７１０６７２１４９．８に対して当該中国特許出願の優先権の利益を主張するものであり、当該中国特許出願の内容のすべてがここで参照として本発明に援用される。
【０００２】
本発明は、通信領域に関し、具体的に、上り情報の送信方法、装置、システムおよび記憶媒体に関する。
【背景技術】
【０００３】
４Ｇシステムの鍵は、マルチアンテナ無線伝送技術にあり、当該技術も５Ｇにおける鍵となる技術の１つである。マルチアンテナ無線伝送技術は、スループット問題を解決する利器であり、マルチアンテナ無線伝送技術を用いることにより、空間リソースの利用率を向上させ、スペクトル効率を向上させて、ユーザエクスペリエンスを向上させ、システム容量を向上させる目的を達成することができる。
【０００４】
上りマルチアンテナ無線伝送技術では、上りアンテナのラウンド送信技術は、上り・下り性能を向上する重要な技術として、既存のＬＴＥ通信領域においてますます広く注目されている。従来技術において、上りトラフィックチャネルのアンテナのラウンド送信形態、および上りサウンディング参照信号（ｓｏｕｎｄｉｎｇ  ｒｅｆｅｒｅｎｃｅ  ｓｉｇｎａｌ、ＳＲＳと略称される）のアンテナのラウンド送信方法が明確に規範されているが、同一サブフレームに対して、関連する伝送方法は、ＳＲＳ、上りトラフィックチャネルおよび／または上り控制チャネルの上り送信アンテナが一致しないという確率的な問題を引き起こすので、端末のコストが増加し、無線リンクの復調の複雑度が増加し、リンクの処理リアルタイム性が確保できないという問題をもたらしている。
【０００５】
従来技術に存在する上記問題に対して、未だ効果的な解決手段が提出されていない。
【発明の概要】
【発明が解決しようとする課題】
【０００６】
本発明の実施例は、関連技術に存在する同一サブフレームで上り情報の上り送信アンテナが一致しないという問題を少なくとも解決するために、上り情報の送信方法、装置、システムおよび記憶媒体を提供する。
【０００７】
本発明の一実施例によれば、同一サブフレームで第１の上り情報および第２の上り情報を送信するための上り送信アンテナを確定することと、確定した前記上り送信アンテナを用いて前記第１の上り情報および前記第２の上り情報の送信処理を実行することと、を含み、前記第１の上り情報は、ＳＲＳを含み、前記第２の上り情報は、上りトラフィックチャネル信号、上り制御チャネル信号のうちの少なくとも１つを含む第１の上り情報の送信方法が提供される。
【０００８】
本発明の別の実施例によれば、同一サブフレームでユーザデバイスＵＥが第１の上り情報および第２の上り情報を送信するための上り送信アンテナを確定し、確定した前記上り送信アンテナを前記ＵＥに指示すること、或いは、マルチアンテナによってユーザデバイスＵＥへ参照情報を下り送信することを含み、前記参照情報は、前記ＵＥが前記マルチアンテナから第１の上り情報および第２の上り情報を送信するための上り送信アンテナを選択するために用いられ、前記第１の上り情報は、ＳＲＳを含み、前記第２の上り情報は、上りトラフィックチャネル信号、上り制御チャネル信号のうちの少なくとも１つを含む、第２の上り情報の送信方法がさらに提供される。
【０００９】
本発明の一実施例によれば、同一サブフレームで第１の上り情報および第２の上り情報を送信するための上り送信アンテナを確定し、前記第１の上り情報は、ＳＲＳを含み、前記第２の上り情報は、上りトラフィックチャネル信号、上り制御チャネル信号のうちの少なくとも１つを含むように構成される第１の確定モジュールと、確定した前記上り送信アンテナを用いて前記第１の上り情報および前記第２の上り情報の送信処理を実行するように構成される送信モジュールと、を含む、第１の上り情報の送信装置が提供される。
【００１０】
本発明の一実施例によれば、同一サブフレームでユーザデバイスＵＥが第１の上り情報および第２の上り情報を送信するための上り送信アンテナを確定し、確定した前記上り送信アンテナを前記ＵＥに指示するように構成される第２の確定モジュール、或いは、マルチアンテナによってユーザデバイスＵＥへ参照情報を下り送信するように構成される下り送信モジュールを含み、前記参照情報は、前記ＵＥが前記マルチアンテナから第１の上り情報および第２の上り情報を送信するための上り送信アンテナを選択するために用いられ、前記第１の上り情報は、ＳＲＳを含み、前記第２の上り情報は、上りトラフィックチャネル信号、上り制御チャネル信号のうちの少なくとも１つを含む第２の上り情報の送信装置がさらに提供される。
【００１１】
本発明の一実施例によれば、ユーザデバイスＵＥおよび無線アクセスシステムデバイスを含む上り情報の送信システムであって、前記ＵＥは、上述したいずれか一項に記載の第１の上り情報の送信方法を実行するための第１のプロセッサを含み、前記無線アクセスシステムデバイスは、上述したいずれか一項に記載の第２の上り情報の送信方法を実行するための第２のプロセッサを含む、上り情報の送信システムが提供される。
【００１２】
本発明の一実施例によれば、記憶されたプログラムを含む記憶媒体であって、前記プログラムを実行すると、上述したいずれか一項に記載の方法を実行する記憶媒体が提供される。
【発明の効果】
【００１３】
本発明によれば、確定された上り送信アンテナは、第１の上り情報および第２の上り情報を送信するために用いられるため、同一サブフレームにおける前記情報の上り送信アンテナの一致性を確保する。そのため、関連技術に存在する同一サブフレームで上り情報の上り送信アンテナが一致しないことに起因して端末のコストが増加し、無線リンクの復調の複雑度が高く、リンクの処理リアルタイム性が確保できないという問題を解決することができ、端末のコストの増加を回避し、無線リンクの復調の複雑度を低下させ、リンクの処理リアルタイム性を確保するという効果を達成する。
【００１４】
ここで説明される図面は、本発明をさらに理解したり、本発明の一部を構成したりするために用いられる。本発明の例示的な実施例およびその説明は、本発明を解釈するために用いられ、本発明を不適切に限定するものではない。
【図面の簡単な説明】
【００１５】
【図１】本発明の実施例に係る上り情報の送信方法における移動端末のハードウェアの構造ブロック図である。
【図２】本発明の実施例に係る第１の上り情報の送信方法のフローチャットである。
【図３】本発明の実施例に係る第２の上り情報の送信方法のフローチャットである。
【図４】本発明の実施例に係るハードウェア環境を示す図である。
【図５】本発明の実施例に係る閉ループのアンテナのラウンド送信技術を示すフローチャットである。
【図６】本発明の実施例に係る開ループのアンテナのラウンド送信技術を示すフローチャットである。
【図７】本発明の実施例に係る第１の上り情報の送信装置の構造ブロック図である。
【図８】本発明の実施例に係る第２の上り情報の送信装置の構造ブロック図である。
【発明を実施するための形態】
【００１６】
以下は、図面を参照し、実施例を結び付けて本発明について詳細に説明する。なお、矛盾しない前提で、本発明における実施例および実施例における特徴は、互いに組み合わせることができる。
【００１７】
なお、本発明の明細書、特許請求の範囲、および上述した図面における「第１」、「第２」などの用語は、類似する対象を区別するために用いられるが、特定の順番または前後順番を説明するために用いられるものではない。
【００１８】
関連技術において同一サブフレームで上り情報の上り送信アンテナが一致しないという問題が存在するため、上り・下り性能の向上に影響を及ぼさない前提で、多種の情報は同一サブフレームにおける上り送信アンテナが一致しないという問題を解決するための新たな技術を探す必要がある。端末情報の上り送信の複雑度を低下させ、端末アンテナのラウンド送信技術の実行可能性を向上させる。以下は、如何に上り送信アンテナの一致を実現するかについて説明する。
【００１９】
実施例１
【００２０】
本発明の実施例１に係る方法実施例は、移動端末、コンピュータ端末または類似する計算装置において実行されてもよい。移動端末において実行されることを例として、図１は、本発明の実施例に係る上り情報の送信方法における移動端末のハードウェアの構造ブロック図である。図１に示すように、移動端末１０は、１つまたは複数（図１において１つだけが示している）のプロセッサ１０２（プロセッサ１０２は、マイクロプロセッサＭＣＵまたはプログラマブルロジックデバイスＦＰＧＡなどの処理装置を含んでもよいが、それに限定されない）、データを記憶するためのメモリ１０４、および通信機能のための伝送装置１０６を含んでもよい。当業者にとっては、図１に示す構造は、例示に過ぎず、上記電子装置の構造を限定するものではないことを理解すべきである。例えば、移動端末１０は、図１に示すものよりも多いか或いはそれよりも少ないアセンブリをさらに含んでもよく、或いは、図１に示すものと異なる構成を有してもよい。
【００２１】
メモリ１０４は、アプリケーションソフトウェアのソフトウェアプログラムおよびモジュール、例えば、本発明の実施例における上り情報の送信方法が対応するプログラム指令／モジュールを記憶するために用いられてもよく、プロセッサ１０２は、メモリ１０４に記憶されたソフトウェアプログラムおよびモジュールを実行することにより、各種の機能的アプリケーションおよびデータ処理を実行し、すなわち、上述した方法を実現する。メモリ１０４は、高速ランダムアクセスメモリを含んでもよいし、不揮発性メモリ、例えば１つまたは複数の磁気記憶装置、フラッシュメモリ、または他の不揮発性ソリッドステートメモリを含んでもよい。一部のインスタンスにおいて、メモリ１０４は、プロセッサ１０２に対して遠隔配置されたメモリをさらに含んでもよく、これらのリモートメモリは、ネットワークによって移動端末１０に接続されてもよい。前記ネットワークのインスタンスは、インターネット、イントラネット、ローカルエリア・ネットワーク、移動通信ネットワークおよびその組み合わせを含んだが、それに限定されない。
【００２２】
伝送装置１０６は、ネットワークを介してデータを受送信するために用いられる。前記ネットワークの具体的なインスタンスは、移動端末１０の通信事業者による無線ネットワークを含んでもよい。一つのインスタンスにおいて、伝送装置１０６は、基地局を介して他のネットワークデバイスに接続されてインターネットと通信可能なネットワークアダプタ（Ｎｅｔｗｏｒｋ  Ｉｎｔｅｒｆａｃｅ  Ｃｏｎｔｒｏｌｌｅｒ、ＮＩＣと略称される）を含む。一つのインスタンスにおいて、伝送装置１０６は、無線形態でインターネットと通信するための無線周波数（Ｒａｄｉｏ  Ｆｒｅｑｕｅｎｃｙ、ＲＦと略称される）モジュールであってもよい。
【００２３】
本実施例において、前記移動端末において実行される上り情報の送信方法が提供される。図２は、本発明の実施例に係る第１の上り情報の送信方法のフローチャットである。図２に示すように、当該フローは、
同一サブフレームで第１の上り情報および第２の上り情報を送信するための上り送信アンテナを確定し、当該第１の上り情報は、ＳＲＳを含み、当該第２の上り情報は、上りトラフィックチャネル信号、および上り制御チャネル信号のうちの少なくとも１つを含むステップＳ２０２と、
確定した前記上り送信アンテナを用いて第１の上り情報および第２の上り情報の送信処理を実行するステップＳ２０４と、を含む。
【００２４】
そのうち、前記操作を実行するものは、ユーザデバイスＵＥであってもよい。確定された前記上り送信アンテナは、第１の上り情報および第２の上り情報を送信するために用いられ、つまり、前記第１の上り情報および第２の上り情報を送信する上り送信アンテナが同一である。
【００２５】
上述した実施例によれば、確定された上り送信アンテナは、第１の上り情報および第２の上り情報を送信するために用いられるため、同一サブフレームにおける前記情報の上り送信アンテナの一致性を確保すると共に、関連技術に存在する同一サブフレームにおける上り情報の上り送信アンテナが一致しないことに起因して端末のコストが増加し、無線リンクの復調の複雑度が高く、リンクの処理リアルタイム性が確保できないという問題を解決することができ、端末のコストの増加を回避し、無線リンクの復調の複雑度を低下させ、リンクの処理リアルタイム性を確保する効果を達成する。
【００２６】
好ましい実施例において、同一サブフレームで前記第１の上り情報および第２の上り情報を送信するための上り送信アンテナを確定することは、マルチアンテナにおいて無線アクセスシステムデバイスへ第１の上り情報をラウンド送信することと、前記無線アクセスシステムデバイスからの第１の指示メッセージを受信し、当該第１の指示メッセージは、マルチアンテナのうち第２の上り情報を送信するためのアンテナを指示するために用いられ、指示した前記アンテナは、無線アクセスシステムデバイスがマルチアンテナにおいてラウンド送信する第１の上り情報に基づいて確定されるものであることと、前記第１の指示メッセージにより指示されるアンテナが上り送信アンテナであることを確定することと、を含む。本実施例において、閉ループのアンテナ選択形態が用いられてもよく、すなわち、無線アクセスデバイスは上り情報送信を行う上り送信アンテナを選択し、上り送信アンテナを選択した後、ＵＥに通知する。上述した無線アクセスシステムデバイスは、上り情報を受信するためのデバイスであり、基地局であってもよいがそれに限定されない。
【００２７】
好ましい実施例において、前記無線アクセスシステムデバイスからの第１の指示メッセージを受信することは、無線アクセスシステムデバイスが下り制御情報（Ｄｏｗｎｌｉｎｋ  Ｃｏｎｔｒｏｌ  Ｉｎｆｏｒｍａｔｉｏｎ、ＤＣＩと略称される）により通知する第１の指示メッセージを受信することを含む。つまり、無線アクセスシステムデバイスは、ＤＣＩによって具体的な上り送信アンテナをＵＥに通知することができ、もちろん、無線アクセスシステムデバイスは、他の形態でＵＥに通知することもできる。
【００２８】
好ましい実施例において、マルチアンテナにおいて無線アクセスシステムデバイスへ第１の上り情報をラウンド送信した後、前記方法は、無線アクセスシステムデバイスからの第２の指示メッセージを受信することと、当該第２の指示メッセージに基づき、マルチアンテナにおいて無線アクセスシステムデバイスへ第１の上り情報をラウンド送信することを終了させることと、をさらに含む。本実施例において、無線アクセスシステムデバイスは、同一サブフレームで、あるアンテナにおいて受信した信号強度が始終に他のアンテナよりも大きいと判断した場合、マルチアンテナのラウンド送信の無効状態に移行することをＵＥに通知することができる。好ましくは、無線アクセスシステムデバイスは、上位層配置情報によってアンテナのラウンド送信の無効をＵＥに通知することができる。第１の上りメッセージのラウンド送信を終了させ、第２の上り情報に対応するアンテナ選択送信機能を終了させる。
【００２９】
好ましい実施例において、同一サブフレームで第１の上り情報および第２の上り情報を送信するための上り送信アンテナを確定することは、マルチアンテナによって無線アクセスシステムデバイスからの参照情報を受信することと、前記参照情報に基づいてマルチアンテナから前記上り送信アンテナを確定することと、を含む。本実施例において、開ループのアンテナ選択形態が用いられ、主にＵＥによりアンテナを自主に選択する。
【００３０】
好ましい実施例において、前記参照情報は、参照信号情報、トラフィックチャネル情報のうちの少なくとも１つを含む。なお、前記参照情報は、幾つかの好ましい実施例に過ぎず、実際適用において、他の参照情報が用いられてもよい。
【００３１】
好ましい実施例において、前記参照情報に基づいてマルチアンテナから上り送信アンテナを確定することは、前記マルチアンテナによって前記参照情報を受信する受信品質に基づいてマルチアンテナから前記上り送信アンテナを選択することを含む。
【００３２】
好ましい実施例において、前記マルチアンテナから、無線アクセスシステムデバイスからの前記参照情報を受信した後、前記方法は、マルチアンテナにおける第１のアンテナにおいて参照情報を受信する受信品質が他のアンテナよりも高い場合、マルチアンテナから上り送信アンテナを選択するフローを終了させ、第１のアンテナが前記上り送信アンテナであることを確定することをさらに含む。つまり、本実施例において、ＵＥのあるアンテナにおいて受信した信号品質が始終に他のアンテナよりも高い場合、ユーザデバイスＵＥは、第１の上り情報および第２の上り情報のアンテナ選択用の測定を終了させ、受信信号の強いアンテナのみですべての上り情報を送信する。
【００３３】
好ましい実施例において、前記マルチアンテナから上り送信アンテナを選択するフローを終了させた後、前記方法は、マルチアンテナにおける第２のアンテナにおいて参照信号を受信する受信品質が第１のアンテナよりも高い場合、マルチアンテナから上り送信アンテナを選択するフローを再開することをさらに含む。本実施例において、ＵＥは、アンテナのラウンド送信を終了させた後、アンテナにおける信号品質の検出を周期的にトリガーするかまたはイベントトリガーし、現在の選択されたアンテナにおける信号品質が他のアンテナにおける信号品質よりも悪いことを検出した場合、ユーザデバイスＵＥは、アンテナのラウンド送信の下り参照情報の測定を開始し、アンテナのラウンド送信モードに移行する。
【００３４】
好ましい実施例において、前記受信品質は、受信信号強度、信号対雑音比、パスロスのうちの少なくとも１つを含む。
【００３５】
好ましい実施例において、無線アクセスシステムデバイスとＵＥとは、上り情報の送信原則を交渉することができ、上り情報の送信を行う場合、交渉した原則に従って送信する。好ましくは、確定した上り送信アンテナを用いて前記第１の上り情報および第２の上り情報の送信処理を実行することは、無線アクセスシステムデバイスと予め交渉した送信原則に従って前記第１の上り情報および第２の上り情報の送信処理を実行することを含み、そのうち、当該送信原則は、第１の上り情報および第２の上り情報は同一サブフレームにおける上り送信アンテナが同じである場合、第１の上り情報および第２の上り情報が同一サブフレームで送信される原則、および第１の上り情報および第２の上り情報は同一サブフレームにおける上り送信アンテナが異なる場合、第１の上り情報の上り送信アンテナが第２の上り情報の上り送信アンテナを用いる送信形態、第２の上り情報の上り送信アンテナが第１の上り情報の上り送信アンテナを用いる送信形態、サブフレームで第１の上り情報を送信することを放棄する送信形態、およびサブフレームで第２の上り情報を送信することを放棄する送信形態のうちの少なくとも１つを実行する原則のうちの少なくとも１つを含む。
【００３６】
実施例２
【００３７】
本実施例において、上り情報の送信方法がさらに提供される。図３は、本発明の実施例に係る第２の上り情報の送信方法のフローチャットである。図３に示すように、当該方法は、
同一サブフレームでユーザ機器ＵＥが第１の上り情報および第２の上り情報を送信するための上り送信アンテナを確定し、確定した当該上り送信アンテナをＵＥに指示し、或いは、マルチアンテナによってユーザ機器ＵＥへ参照情報を下り送信するステップＳ３０２を含み、
当該参照情報は、ＵＥがマルチアンテナから第１の上り情報および第２の上り情報を送信するための上り送信アンテナを選択するために用いられ、
そのうち、前記第１の上り情報は、ＳＲＳを含み、前記第２の上り情報は、上りトラフィックチャネル信号、上り制御チャネル信号のうちの少なくとも１つを含む。
【００３８】
そのうち、前記操作を実行するものは、無線アクセスシステムデバイス（例えば、基地局）であってもよい。以下は、無線アクセスシステムデバイスを例として本発明について説明する。確定された前記上り送信アンテナは、第１の上り情報および第２の上り情報を送信するために用いられてもよい。
【００３９】
上述した実施例によれば、確定された上り送信アンテナは、第１の上り情報および第２の上り情報を送信するために用いられるため、同一サブフレームにおける前記情報の上り送信アンテナの一致性を確保すると共に、関連技術に存在する同一サブフレームにおける上り情報の上り送信アンテナが一致しないことに起因して端末のコストが増加し、無線リンクの復調の複雑度が高く、リンクの処理リアルタイム性が確保できないという問題を解決することができ、端末のコストの増加を回避し、無線リンクの復調の複雑度を低下させ、リンクの処理リアルタイム性を確保する効果を達成する。
【００４０】
好ましい実施例において、同一サブフレームでＵＥが第１の上り情報および第２の上り情報を送信するための上り送信アンテナを確定することは、ＵＥがマルチアンテナにおいてラウンド送信する第１の上り情報を受信することと、受信した前記第１の上り情報に基づいてマルチアンテナのうちＵＥが前記第２の上り情報を送信するためのアンテナを確定することと、前記ＵＥが第２の上り情報を送信するアンテナが上り送信アンテナであることを確定することと、を含む。本実施例において、閉ループのアンテナ選択形態が用いられてもよく、すなわち、無線アクセスデバイスは、上り情報の送信を行う上り送信アンテナを選択し、上り送信アンテナを選択した後、ＵＥに通信する。
【００４１】
好ましい実施例において、受信した第１の上り情報に基づいてマルチアンテナのうちＵＥが第２の上り情報を送信するためのアンテナを確定することは、前記マルチアンテナから、ＵＥが第１の上り情報を送信する信号強度の最も大きいアンテナが、前記第２の上り情報を送信するアンテナであることを確定することを含む。つまり、無線アクセスシステムデバイスは、ＵＥが異なるアンテナで上り送信する信号強度を判断し、信号強度の大きいアンテナを上り送信アンテナとして選択する。
【００４２】
好ましい実施例において、確定した前記上り送信アンテナをＵＥに指示することは、下り制御情報ＤＣＩによってＵＥへ第１の指示メッセージを送信することを含み、当該第１の指示メッセージは、前記上り送信アンテナを指示するために用いられる。つまり、無線アクセスシステムデバイスは、ＤＣＩによって具体的な上り送信アンテナをＵＥに通知することができ、もちろん、無線アクセスシステムデバイスは、他の形態でＵＥに通知することもできる。
【００４３】
好ましい実施例において、前記ＵＥがマルチアンテナにおいてラウンド送信する第１の上り情報を受信した後、前記方法は、マルチアンテナにおける第３のアンテナにおいて第１の上り情報を受信する受信品質が他のアンテナよりも高いことを確定した場合、ＵＥへ第２の指示メッセージを送信することをさらに含み、当該第２の指示メッセージは、ＵＥがマルチアンテナにおいて無線アクセスシステムデバイスへ第１の上り情報をラウンド送信することを終了させることを指示するために用いられる。本実施例において、無線アクセスシステムデバイスは、同一サブフレームで、あるアンテナにおいて受信した信号強度が始終に他のアンテナよりも大きいと判断した場合、マルチアンテナのラウンド送信の無効状態に移行することをＵＥに通知することができる。好ましくは、無線アクセスシステムデバイスは、上位層配置情報によってアンテナのラウンド送信が無効であることをＵＥに通知することができる。第１の上りメッセージのラウンド送信を終了させ、第２の上り情報に対応するアンテナ選択送信機能を終了させる。
【００４４】
好ましい実施例において、前記参照情報は、参照信号情報、トラフィックチャネル情報のうちの少なくとも１つを含む。
【００４５】
好ましい実施例において、前記方法は、上り情報を送信するための送信原則をＵＥと予め交渉することを含み、当該送信原則は、第１の上り情報および第２の上り情報は同一サブフレームにおける上り送信アンテナが同じである場合、前記第１の上り情報と前記第２の上り情報とが同一サブフレームで送信される原則、および第１の上り情報および第２の上り情報は同一サブフレームにおける上り送信アンテナが異なる場合、第１の上り情報の上り送信アンテナが第２の上り情報の上り送信アンテナを用いる送信形態、第２の上り情報の上り送信アンテナが第１の上り情報の上り送信アンテナを用いる送信形態、前記サブフレームで第１の上り情報を送信することを放棄する送信形態、および前記サブフレームで第２の上り情報を送信することを放棄する送信形態のうちの少なくとも１つを実行する原則のうちの少なくとも１つを含む。
【００４６】
以上から分かるように、本発明において、主に２種の上り送信アンテナの選択態様が用いられる。態様一としては、無線アクセスシステムデバイスは、上位層配置無線リソースコントロール（ｒａｄｉｏ  ｒｅｓｏｕｒｃｅ  ｃｏｎｔｒｏｌ、ＲＲＣと略称される）上りアンテナのラウンド送信が有効である場合、閉ループのアンテナ選択制御機能の開始を示すメッセージをユーザデバイスＵＥに通知する。上り送信に対してアンテナ選択を行う場合、無線アクセスシステムデバイス（例えば、基地局）は、上り送信を選択した上りアンテナの位置を判断し、無線アクセスシステムデバイスの判断を実行することをユーザデバイスＵＥに通知する。態様二としては、ユーザデバイスＵＥは、上位層配置上りアンテナのラウンド送信が有効である場合、開ループのアンテナ選択制御機能の開始を示すメッセージを受信する。この際に、上り無線リンクのアンテナ位置で選択する場合、ユーザデバイスＵＥによってアンテナの実施態様を自主に選択する。
【００４７】
そのうち、態様一は、閉ループ方法であり、ユーザデバイスＵＥの上り送信アンテナが無線アクセスシステムデバイスにより提供される。態様二は、開ループ方法であり、ユーザデバイスＵＥによってアンテナを自主に選択する。閉ループと比べて、開ループ方法において、ＵＥの上り送信アンテナの選択がより柔軟的である。この２種の態様において、それぞれ、上り情報の上り送信アンテナが同一サブフレームで一致しない時の解決手段が提案され、いずれも端末アンテナのラウンド送信技術の実現コストを低下させることができる。それと同時に、上り送信アンテナが同一サブフレームにおける同一アンテナに集積されるため、基地局によるデータを受信する処理コストも低下させる。
【００４８】
以下は、具体的な実施形態を結び付けて本発明について説明する（下記実施例において、無線アクセスシステムデバイスである場合の基地局を例として説明し、上りトラフィックチャネル信号／上り制御チャネル信号は、全体として現れ、上りトラフィックチャネル信号および／または上り制御チャネル信号を意味する）。
【００４９】
具体的な実施形態１
【００５０】
本態様の適用前提は、上位層配置上りアンテナのラウンド送信のオン／オフが有効であり、閉ループのアンテナ選択のオン／オフを開始し、当該情報をＵＥに伝送するものである。上りアンテナを選択する場合、基地局は、上り送信する上りアンテナを判断し、ＵＥは、基地局の判断を実行する。
【００５１】
ここでは、ＵＥに２本のアンテナがあると想定する。
【００５２】
１．ＵＥは、閉ループのアンテナ送信指令を受信した後、３６．２１３プロトコルに規定された形態でＳＲＳの上り送信を行う。
【００５３】
２．基地局は、ＵＥが上り送信するＳＲＳ情報を受信する。そのうち、ＵＥのアンテナａｎｔｅｎｎａ０およびａｎｔｅｎｎａ１は、異なる時刻でＳＲＳ情報を上り送信する。基地局は、ＳＲＳ情報を受信した後、タイムウィンドウＴ０で、２本のアンテナにおける上り送信の信号強度を判断する。
【００５４】
ここで、タイムウィンドウＴ０で、ａｎｔｅｎｎａ０信号をＮ回受信し、ａｎｔｅｎｎａ１信号をＭ回受信すると、基地局は、Ｎ回受信したａｎｔｅｎｎａ０信号強度に対して平均値を求めてＳＲＳＲＰ０を得、基地局は、Ｍ回受信したａｎｔｅｎｎａ１信号強度に対して平均値を求めてＳＲＳＲＰ１を得、そして、ＳＲＳＲＰ０とＳＲＳＲＰ１の大きさを判断し、値の大きいアンテナが信号強度の大きいアンテナである。
【００５５】
そのうち、Ｔ０は、０よりも大きい整数である。基地局は、信号強度の大きいアンテナを選択して、対応するデータ送信アンテナ情報をＵＥに通知する。例えば、基地局は、ＤＣＩ情報うちのアンテナ選択情報フィールドによって情報を上り送信するアンテナをＵＥに通知することができる。アンテナ選択フィールドの長さを１ビットとすると、０は、アンテナ０を示し、１は、アンテナ１を示す。
【００５６】
３．ＳＲＳおよび上りトラフィックチャネル信号／上り制御チャネル信号（すなわち、上りトラフィックチャネル信号および／または上り制御チャネル信号）は同一サブフレームにおける上り送信アンテナが一致すると、ＳＲＳおよび上りトラフィックチャネル信号／上り制御チャネル信号を同一サブフレームで上り送信する。  
【００５７】
４．同一サブフレームで、ＳＲＳおよび上りトラフィックチャネル信号／上り制御チャネル信号の上り送信アンテナが異なると、上りトラフィックチャネル信号／上り制御チャネル信号の上り送信アンテナは、ＳＲＳの上り送信アンテナを用い、或いはＳＲＳは、上りトラフィックチャネル信号／上り制御チャネル信号の上り送信アンテナにおいて送信され、或いはＵＥは、当該サブフレームでＳＲＳを上り送信することを放棄し、或いはＵＥは、当該サブフレームで上りトラフィックチャネル信号／上り制御チャネル信号を送信することを放棄する。
【００５８】
以下は、異なるオプションにおける異なる実施シナリオについて説明する。
【００５９】
上りトラフィックチャネル信号または上り制御チャネル信号の上り送信は、ＳＲＳの上り送信アンテナを用いて上り送信する。この方法は、下りトラフィックがＢＦ（ビームフォーミング）伝送技術を用いる時に用いられてもよい。
【００６０】
ＳＲＳの上り送信アンテナは、上りトラフィックチャネル信号／上り制御チャネル信号の上り送信アンテナを用いて上り送信する。この方法は、下りトラフィックがＢＦ（ビームフォーミング）伝送技術を用いない時に用いられてもよい。
【００６１】
ＵＥは、当該サブフレームでＳＲＳを上り送信することを放棄し、上りトラフィックチャネル信号または上り制御チャネル信号のみ送信する。この方法は、下りトラフィックがＢＦ（ビームフォーミング）伝送技術を用いない時に用いられ、或いは上りトラフィックチャネル信号がＧＢＲトラフィックである時に用いられ、或いは上り制御チャネル信号が周期的レポート情報である時に用いられる。
【００６２】
ＵＥは、当該サブフレームで上りトラフィックチャネル信号／上り制御チャネル信号を送信することを放棄し、ＳＲＳのみ送信する。この方法は、下りトラフィックがＢＦ伝送技術を用いる時に用いられるか、上りトラフィックがＮＧＢＲトラフィックである時に用いられるか、上り制御チャネル信号が非周期的レポートである時に用いられる。
【００６３】
５．基地局は、タイムウィンドウＴ１内で、１本のアンテナにおいて受信した信号強度が始終に他のアンテナよりも小さい場合、基地局は、当該情報を上位層に通知し、そのうち、Ｔ１は０よりも大きい。上位層再配置シグナリングは、アンテナのラウンド送信が無効であることをＵＥに通知する。ＳＲＳのラウンド送信を終了させ、上りトラフィックチャネル信号／上り制御チャネル信号に対応するアンテナ選択送信機能を終了させる。
【００６４】
例えば、基地局は、タイムウィンドウＴ１内で、ａｎｔｅｎｎａ０およびａｎｔｅｎｎａ１における信号強度を取得し、２本のアンテナにおける強度ＳＲＳＲＰ０ｉとＳＲＳＲＰ１ｉを絶え間なく比較し、そのうち、ｉは、０以上の整数である。ＳＲＳＲＰ０の値がＳＲＳＲＰ１よりも大きい確率が９５％よりも大きいと（当該確率は、実際の適用シナリオにより柔軟に設定されてもよく、例えば、９０％よりも大きいように設定されてもよい）、ＳＲＳＲＰ０が始終にＳＲＳＲＰ１よりも大きいと考えられてもよい。この際に、基地局は、上位層によってＵＥへ指令を下り送信し、アンテナのラウンド送信を終了させることができる。
【００６５】
具体的な実施形態２
【００６６】
本態様の適用前提は、上位層配置上りアンテナのラウンド送信のオン／オフが有効であり、閉ループのアンテナ選択のオン／オフを開始し、当該情報をＵＥに伝送するものである。上りアンテナを選択する場合、基地局は、ＵＥが上り送信する上りアンテナを判断し、ＵＥは、基地局の判断を実行する。
【００６７】
ここでは、ＵＥに２本のアンテナがあると想定する。
【００６８】
１．ＵＥは、閉ループのアンテナ送信指令を受信した後、３６．２１３プロトコルに規定された形態でＳＲＳの上り送信を行う。
【００６９】
２．基地局は、ＵＥが上り送信するＳＲＳ情報を受信する。そのうち、ＵＥのアンテナａｎｔｅｎｎａ０およびａｎｔｅｎｎａ１は、異なる時刻でＳＲＳ情報を上り送信する。基地局は、ＳＲＳ情報を受信した後、タイムウィンドウＴ４内で、２本のアンテナにおける上り送信の信号強度を判断する。
【００７０】
ここで、タイムウィンドウＴ４内で、ａｎｔｅｎｎａ０信号をＮ４回受信し、ａｎｔｅｎｎａ１信号をＭ４回受信すると、基地局は、Ｎ４回受信したａｎｔｅｎｎａ０信号強度に対してフィルタリングを行ってＳＲＳＲＰ０Ｔ４を得、基地局は、Ｍ４回受信したａｎｔｅｎｎａ１信号強度に対してフィルタリングを行ってＳＲＳＲＰ１Ｔ４を得、そして、ＳＲＳＲＰ０Ｔ４とＳＲＳＲＰ１Ｔ４の大きさを判断し、値の大きいアンテナが信号強度の大きいアンテナである。
【００７１】
そのうち、Ｔ４は、０よりも大きい整数である。基地局は、信号強度の大きいアンテナを選択し、対応する上りトラフィックチャネル信号／上り制御チャネル信号の送信アンテナ情報をＵＥに通知する。例えば、１セットのマスクを設定することができ、異なるアンテナが異なるマスクに対応し、基地局は、ＤＣＩのＣＲＣに付加されたマスク情報によって情報を上り送信するアンテナをＵＥに通知することができる。
【００７２】
３．ＳＲＳおよび上りトラフィックチャネル信号／上り制御チャネル信号は同一サブフレームにおける上り送信アンテナが一致すると、ＳＲＳおよび上りトラフィックチャネル信号／上り制御チャネル信号を同一サブフレームで上り送信する。  
【００７３】
４．同一サブフレームで、ＳＲＳおよび上りトラフィックチャネル信号／上り制御チャネル信号の上り送信アンテナが異なると、上りトラフィックチャネル信号／上り制御チャネル信号の上り送信アンテナは、ＳＲＳの上り送信アンテナを用いる。或いは、ＳＲＳは、上りトラフィックチャネル信号／上り制御チャネル信号の上り送信アンテナにおいて送信される。或いはＵＥは、当該サブフレームでＳＲＳを上り送信することを放棄する。或いはＵＥは、当該サブフレームで上りトラフィックチャネル信号／上り制御チャネル信号を送信することを放棄する。
【００７４】
以下は、異なるオプションにおける異なる実施シナリオについて説明する。
【００７５】
上りトラフィックチャネル信号または上り制御チャネル信号の上り送信は、ＳＲＳの上り送信アンテナを用いて上り送信する。この方法は、下りトラフィックがＢＦ（ビームフォーミング）伝送技術を用いる時に用いられてもよい。
【００７６】
ＳＲＳの上り送信アンテナは、上りトラフィックチャネル信号／上り制御チャネル信号の上り送信アンテナを用いて上り送信する。この方法は、下りトラフィックがＢＦ（ビームフォーミング）伝送技術を用いない時に用いられてもよい。
【００７７】
ＵＥは、当該サブフレームでＳＲＳを上り送信することを放棄し、上りトラフィックチャネル信号または上り制御チャネル信号のみ送信する。この方法は、下りトラフィックがＢＦ（ビームフォーミング）伝送技術を用いない時に用いられ、或いは上りトラフィックチャネル信号がＧＢＲトラフィックである時に用いられ、或いは上り制御チャネル信号が周期的レポート情報である時に用いられる。
【００７８】
ＵＥは、当該サブフレームで上りトラフィックチャネル信号／上り制御チャネル信号を送信することを放棄し、ＳＲＳのみ送信する。この方法は、下りトラフィックがＢＦ伝送技術を用いる時に用いられ、或いは上りトラフィックがＮＧＢＲトラフィックである時に用いられるか、或いは上り制御チャネル信号が非周期的レポートである時に用いられる。
【００７９】
５．基地局は、タイムウィンドウＴ５内で、１本のアンテナにおいて受信した信号強度が始終に他のアンテナよりも小さい場合、基地局は、当該情報を上位層に通知し、そのうち、Ｔ５は０よりも大きい。上位層再配置シグナリングは、アンテナのラウンド送信が無効であることをＵＥに通知する。ＳＲＳのラウンド送信を終了させ、上りトラフィックチャネル信号／上り制御チャネル信号に対応するアンテナ選択送信機能を終了させる。
【００８０】
ここでは、以下のような判断インスタンスが与えられる。基地局は、タイムウィンドウＴ５内で、ａｎｔｅｎｎａ０およびａｎｔｅｎｎａ１における信号強度を取得し、２本のアンテナにおける強度ＳＲＳＲＰ０ＫとＳＲＳＲＰ１Ｋを絶え間なく比較し、そのうち、Ｋは、０以上の整数である。ＳＲＳＲＰ０の値がＳＲＳＲＰ１よりも大きい確率が９５％よりも大きいと、ａｎｔｅｎｎａ０における信号強度が始終にａｎｔｅｎｎａ１における信号よりも大きいと考えられてもよい。この際に、基地局は、上位層によってＵＥへ指令を下り送信し、アンテナのラウンド送信を終了させることができる。
【００８１】
具体的な実施形態３
【００８２】
本態様の適用前提は、上位層配置上りアンテナのラウンド送信のオン／オフが有効であり、開ループのアンテナ選択のオン／オフを開始し、当該情報をＵＥに伝送するものである。上りアンテナを選択する場合、基地局は、ＵＥの上り送信アンテナを制御せず、ＵＥは、ＳＲＳおよび上りトラフィックチャネル信号／上り制御チャネル信号の上り送信アンテナを判断する。
【００８３】
ここでは、ＵＥに２本のアンテナがあると想定する。
【００８４】
１．ＵＥは、基地局が下がり送信する情報ＣＲＳ（セルレベルの参照信号）を受信し、タイムウィンドウＴ２内で、ＵＥがａｎｔｅｎｎａ０およびａｎｔｅｎｎａ１アンテナにおいて受信したＲＳＲＰ信号強度、ＲＳＲＰ０およびＲＳＲＰ１を判断し、ＵＥは、信号強度の大きいアンテナを選択して上りトラフィックチャネル信号／上り制御チャネル信号の上り送信を行い、そのうち、Ｔ２は、０よりも大きい。
【００８５】
ここで、タイムウィンドウＴ２内で、ＵＥのａｎｔｅｎｎａ０は、基地局からのＣＳＲ信号をＮ２回受信し、ＵＥのａｎｔｅｎｎａ１は、基地局からの信号をＭ２回受信すると、ＵＥは、Ｎ２回受信したａｎｔｅｎｎａ０信号強度に対して平均値を求めてＳＲＳＲＰ０Ｔ２を得、ＵＥは、Ｍ２回受信したａｎｔｅｎｎａ１信号強度に対して平均値を求めてＳＲＳＲＰ１Ｔ２を得、そして、ＳＲＳＲＰ０Ｔ２とＳＲＳＲＰ１Ｔ２の大きさを判断し、値の大きいアンテナが信号強度の大きいアンテナである。
【００８６】
２．ＵＥは、基地局が下がり送信する情報ＣＲＳを受信し、タイムウィンドウＴ３内で、ＵＥがａｎｔｅｎｎａ０およびａｎｔｅｎｎａ１アンテナにおいて受信したＲＳＲＰ０およびＲＳＲＰ１信号強度を判断し、ＵＥは、信号強度の大きいアンテナを選択してＳＲＳ信号の上り送信を行い、そのうち、Ｔ３は、０よりも大きい。
【００８７】
ここで、タイムウィンドウＴ３内で、ＵＥのａｎｔｅｎｎａ０は、基地局からのＣＳＲ信号をＮ３回受信し、ＵＥのａｎｔｅｎｎａ１は、基地局からの信号をＭ３回受信すると、ＵＥは、Ｎ３回受信したａｎｔｅｎｎａ０信号強度に対して平均値を求めてＲＳＲＰ０Ｔ３を得、ＵＥは、Ｍ３回受信したａｎｔｅｎｎａ１信号強度に対して平均値を求めてＲＳＲＰ１Ｔ３を得、そして、ＲＳＲＰ０Ｔ３とＲＳＲＰ１Ｔ３の大きさを判断し、値の大きいアンテナが信号強度の大きいアンテナである。
【００８８】
３．同一サブフレームで、ＳＲＳおよび上りトラフィックチャネル信号／上り制御チャネル信号の上り送信アンテナが一致すると、ＳＲＳおよび上りトラフィックチャネル信号／上り制御チャネル信号を同一サブフレームで上り送信する。  
【００８９】
４．同一サブフレームで、ＳＲＳおよび上りトラフィックチャネル信号／上り制御チャネル信号の上り送信アンテナが異なると、上りトラフィックチャネル信号／上り制御チャネル信号の上り送信アンテナを、ＳＲＳの上り送信アンテナと一致させ、或いは、ＳＲＳの上り送信アンテナは、上りトラフィックチャネル信号／上り制御チャネル信号の上り送信アンテナを用いて上り送信し、或いはＵＥは、当該サブフレームでＳＲＳを上り送信することを放棄し、或いはＵＥは、当該サブフレームで上りトラフィックチャネル信号／上り制御チャネル信号を送信することを放棄する。
【００９０】
以下は、異なるオプションにおける異なる実施シナリオについて説明する。
【００９１】
上りトラフィックチャネル信号または上り制御チャネル信号の上り送信は、ＳＲＳの上り送信アンテナを用いて上り送信する。この方法は、下りトラフィックがＢＦ（ビームフォーミング）伝送技術を用いる時に用いられてもよい。
【００９２】
ＳＲＳの上り送信アンテナは、上りトラフィックチャネル信号／上り制御チャネル信号の上り送信アンテナを用いて上り送信する。この方法は、下りトラフィックがＢＦ（ビームフォーミング）伝送技術を用いない時に用いられてもよい。
【００９３】
ＵＥは、当該サブフレームでＳＲＳを上り送信することを放棄し、上りトラフィックチャネル信号または上り制御チャネル信号のみ送信する。この方法は、下りトラフィックがＢＦ（ビームフォーミング）伝送技術を用いない時に用いられ、或いは上りトラフィックチャネル信号がＧＢＲトラフィックである時に用いられ、或いは上り制御チャネル信号が周期的レポート情報である時に用いられる。
【００９４】
ＵＥは、当該サブフレームで上りトラフィックチャネル信号／上り制御チャネル信号を送信することを放棄し、ＳＲＳのみ送信する。この方法は、下りトラフィックがＢＦ伝送技術を用いる時に用いられ、或いは上りトラフィックがＮＧＢＲトラフィックである時に用いられ、或いは上り制御チャネル信号が非周期的レポートである時に用いられる。
【００９５】
５．ＵＥは、１本のアンテナａｎｔｅｎｎａ０において受信した信号強度が他のアンテナａｎｔｅｎｎａ１よりも小さい確率が９５％を超えると、ＵＥは、ＳＲＳ、上りトラフィックチャネル信号および上り制御チャネル信号の上り送信アンテナ選択用の下り参照情報の測定を終了させる。すべての上り情報は、受信信号が大きいアンテナのみで送信される。
【００９６】
６．ＵＥがアンテナのラウンド送信を終了させた後、他のアンテナの受信信号強度が現在の上り送信アンテナの受信信号強度よりも大きい確率が７０％よりも大きいと（当該確率は、実際の適用シナリオにより柔軟に設定されてもよく、例えば７５％よりも大きくてもよい）、ＵＥは、ＳＲＳ、上りトラフィックチャネル信号または上り制御チャネル信号の上り送信アンテナ選択用の下り参照情報の測定を開始し、上り送信アンテナ選択を再開する。
【００９７】
具体的な実施形態４
【００９８】
本態様の適用前提は、上位層配置上りアンテナのラウンド送信オン／オフが有効であり、開ループのアンテナ選択のオン／オフを開始し、当該情報をＵＥに伝送するものである。上りアンテナを選択する場合、基地局は、ＵＥの上り送信アンテナを制御せず、ＵＥは、ＳＲＳおよび上りトラフィックチャネル信号／上り制御チャネル信号の上り送信アンテナを判断する。
【００９９】
ここでは、ＵＥに２本のアンテナがあると想定する。
【０１００】
１．ＵＥは、基地局が下がり送信するトラフィック情報を受信し、タイムウィンドウＴ６内で、ＵＥがａｎｔｅｎｎａ０およびａｎｔｅｎｎａ１アンテナにおいて受信したトラフィック信号強度を判断し、ＵＥは、信号強度の大きいアンテナを選択して上りトラフィックチャネル信号／上り制御チャネル信号の上り送信を行い、そのうち、Ｔ６は、０よりも大きい。
【０１０１】
ここで、タイムウィンドウＴ６内で、ＵＥのａｎｔｅｎｎａ０は、基地局からのトラフィックＳＩＮＲ信号をＮ６回受信し、ＵＥのａｎｔｅｎｎａ１は、基地局からの信号をＭ６回受信すると、ＵＥは、Ｎ６回受信したａｎｔｅｎｎａ０信号強度に対して平均値を求めてＳＩＮＲ０Ｔ６を得、ＵＥは、Ｍ６回受信したａｎｔｅｎｎａ１信号強度に対して平均値を求めてＳＩＮＲ１Ｔ６を得、そして、ＳＩＮＲ０Ｔ６とＳＩＮＲ１Ｔ６の大きさを判断し、値の大きいアンテナが信号強度の大きいアンテナである。
【０１０２】
２．ＵＥは、基地局が下がり送信する情報ＣＲＳを受信し、タイムウィンドウＴ７内で、ＵＥがａｎｔｅｎｎａ０およびａｎｔｅｎｎａ１アンテナにおいて受信したＲＳＲＰ０およびＲＳＲＰ１信号強度を判断し、ＵＥは、信号強度の大きいアンテナを選択してＳＲＳ信号の上り送信を行い、そのうち、Ｔ７は、０よりも大きい。
【０１０３】
ここで、タイムウィンドウＴ７内において、ＵＥのａｎｔｅｎｎａ０は、基地局からのＣＳＲ信号をＮ７回受信し、ＵＥのａｎｔｅｎｎａ１は、基地局からの信号をＭ７回受信すると、ＵＥは、Ｎ７回受信したａｎｔｅｎｎａ０信号強度に対して平均値を求めてＲＳＲＰ０Ｔ７を得、ＵＥは、Ｍ７回受信したａｎｔｅｎｎａ１信号強度に対して平均値を求めてＲＳＲＰ１Ｔ７を得、そして、ＲＳＲＰ０Ｔ７とＲＳＲＰ１Ｔ７の大きさを判断し、値の大きいアンテナが信号強度の大きいアンテナである。
【０１０４】
３．同一サブフレームで、ＳＲＳおよび上りトラフィックチャネル信号／上り制御チャネル信号の上り送信アンテナが一致すると、ＳＲＳおよび上りトラフィックチャネル信号／上り制御チャネル信号を同一サブフレームで上り送信する。  
【０１０５】
４．同一サブフレームで、ＳＲＳおよび上りトラフィックチャネル信号／上り制御チャネル信号の上り送信アンテナが一致しないと、上りトラフィックチャネル信号／上り制御チャネル信号の上り送信アンテナを、ＳＲＳの上り送信アンテナと一致させ、或いは、ＳＲＳの上り送信アンテナは、上りトラフィックチャネル信号／上り制御チャネル信号の上り送信アンテナを用いて上り送信し、或いはＵＥは、当該サブフレームでＳＲＳを上り送信することを放棄し、或いはＵＥは、当該サブフレームで上りトラフィックチャネル信号／上り制御チャネル信号を送信することを放棄する。
【０１０６】
以下は、異なるオプションにおける異なる実施シナリオについて説明する。
【０１０７】
上りトラフィックチャネル信号または上り制御チャネル信号の上り送信は、ＳＲＳの上り送信アンテナを用いて上り送信する。この方法は、下りトラフィックがＢＦ（ビームフォーミング）伝送技術を用いる時に用いられてもよい。
【０１０８】
ＳＲＳの上り送信アンテナは、上りトラフィックチャネル信号／上り制御チャネル信号の上り送信アンテナを用いて上り送信する。この方法は、下りトラフィックがＢＦ（ビームフォーミング）伝送技術を用いない時に用いられてもよい。
【０１０９】
ＵＥは、当該サブフレームでＳＲＳを上り送信することを放棄し、上りトラフィックチャネル信号または上り制御チャネル信号のみ送信する。この方法は、下りトラフィックがＢＦ（ビームフォーミング）伝送技術を用いない時に用いられ、或いは上りトラフィックチャネル信号がＧＢＲトラフィックである時に用いられ、或いは上り制御チャネル信号が周期的レポート情報である時に用いられる。
【０１１０】
ＵＥは、当該サブフレームで上りトラフィックチャネル信号／上り制御チャネル信号を送信することを放棄し、ＳＲＳのみ送信する。この方法は、下りトラフィックがＢＦ伝送技術を用いる時に用いられ、或いは上りトラフィックがＮＧＢＲトラフィックである時に用いられ、或いは上り制御チャネル信号が非周期的レポートである時に用いられる。
【０１１１】
５．ＵＥは、１本のアンテナにおいて受信した信号強度が始終に他のアンテナよりも小さく、且つ確率が９５％よりも大きいと、ＵＥは、ＳＲＳ、上りトラフィックチャネル信号および上り制御チャネル信号の上り送信アンテナ選択用の下り参照情報の測定を終了させる。すべての上り情報は、受信信号が大きいアンテナのみで送信される。
【０１１２】
６．ＵＥは、アンテナのラウンド送信を終了させた後、他のアンテナの受信信号強度が現在の上り送信アンテナの受信信号強度よりも大きい確率が７０％よりも大きいと、ＵＥは、ＳＲＳ、上りトラフィックチャネル信号または上り制御チャネル信号の上り送信アンテナ選択用の下り参照情報の測定を開始し、上り送信アンテナ選択を再開する。
【０１１３】
具体的な実施形態５
【０１１４】
本態様の適用前提は、上位層配置上りアンテナのラウンド送信オン／オフが有効であり、開ループのアンテナ選択のオン／オフを開始し、当該情報をＵＥに伝送するものである。上りアンテナを選択する場合、基地局は、ＵＥの上り送信アンテナを制御せず、ＵＥは、ＳＲＳおよび上りトラフィックチャネル信号／上り制御チャネル信号の上り送信アンテナを判断する。
【０１１５】
ここでは、ＵＥに２本のアンテナがあると想定する。
【０１１６】
１．ＵＥは、基地局が下がり送信するトラフィック情報を受信し、タイムウィンドウＴ８内で、ＵＥがａｎｔｅｎｎａ０およびａｎｔｅｎｎａ１アンテナにおいて受信したトラフィック信号強度を判断し、ＵＥは、信号強度の大きいアンテナを選択して上りトラフィックチャネル信号／上り制御チャネル信号の上り送信を行い、そのうち、Ｔ８は、０よりも大きい。
【０１１７】
ここで、タイムウィンドウＴ８内で、ＵＥのａｎｔｅｎｎａ０は、基地局からのトラフィックＳＩＮＲ信号をＮ８回受信し、ＵＥのａｎｔｅｎｎａ１は、基地局からの信号をＭ８回受信すると、ＵＥは、Ｎ８回受信したａｎｔｅｎｎａ０信号強度に対してフィルタリングを行ってＳＩＮＲ０Ｔ８を得、ＵＥは、Ｍ８回受信したＳＩＮＲ１信号強度に対してフィルタリングを行ってＳＩＮＲ１Ｔ８を得、そして、ＳＩＮＲ０Ｔ８とＳＩＮＲ１Ｔ８の大きさを判断し、値の大きいアンテナが信号強度の大きいアンテナである。
【０１１８】
２．ＵＥは、基地局が下がり送信するトラフィック情報を受信し、タイムウィンドウＴ９内で、ＵＥがａｎｔｅｎｎａ０およびａｎｔｅｎｎａ１アンテナにおいて受信したＳＩＮＲ０およびＳＩＮＲ１信号強度を判断し、ＵＥは、信号強度の大きいアンテナを選択してＳＲＳ信号の上り送信を行い、そのうち、Ｔ９は、０よりも大きい。
【０１１９】
ここで、タイムウィンドウＴ９内で、ＵＥのａｎｔｅｎｎａ０は、基地局からのトラフィックＳＩＮＲ信号をＮ９回受信し、ＵＥのａｎｔｅｎｎａ１は、基地局からの信号をＭ９回受信すると、ＵＥは、Ｎ９回受信したａｎｔｅｎｎａ０信号強度に対してフィルタリングを行ってＳＩＮＲ０Ｔ９を得、ＵＥは、Ｍ９回受信したＳＩＮＲ１信号強度に対してフィルタリングを行ってＳＩＮＲ１Ｔ９を得、そして、ＳＩＮＲ０Ｔ９とＳＩＮＲ１Ｔ９の大きさを判断し、値の大きいアンテナが信号強度の大きいアンテナである。
【０１２０】
３．同一サブフレームで、ＳＲＳおよび上りトラフィックチャネル信号／上り制御チャネル信号の上り送信アンテナが一致すると、ＳＲＳおよび上りトラフィックチャネル信号／上り制御チャネル信号を同一サブフレームで上り送信する。  
【０１２１】
４．同一サブフレームで、ＳＲＳおよび上りトラフィックチャネル信号／上り制御チャネル信号の上り送信アンテナが一致しないと、上りトラフィックチャネル信号／上り制御チャネル信号の上り送信アンテナを、ＳＲＳの上り送信アンテナと一致させ、或いはＳＲＳの上り送信アンテナは、上りトラフィックチャネル信号／上り制御チャネル信号の上り送信アンテナを用いて上り送信し、或いはＵＥは、当該サブフレームでＳＲＳを上り送信することを放棄し、或いはＵＥは、当該サブフレームで上りトラフィックチャネル信号／上り制御チャネル信号を送信することを放棄する。
【０１２２】
以下は、異なるオプションにおける異なる実施シナリオについて説明する。
【０１２３】
上りトラフィックチャネル信号または上り制御チャネル信号の上り送信は、ＳＲＳの上り送信アンテナを用いて上り送信する。この方法は、下りトラフィックがＢＦ（ビームフォーミング）伝送技術を用いる時に用いられてもよい。
【０１２４】
ＳＲＳの上り送信アンテナは、上りトラフィックチャネル信号／上り制御チャネル信号の上り送信アンテナを用いて上り送信する。この方法は、下りトラフィックがＢＦ（ビームフォーミング）伝送技術を用いない時に用いられてもよい。
【０１２５】
ＵＥは、当該サブフレームでＳＲＳを上り送信することを放棄し、上りトラフィックチャネル信号または上り制御チャネル信号のみ送信する。この方法は、下りトラフィックがＢＦ（ビームフォーミング）伝送技術を用いない時に用いられ、或いは上りトラフィックチャネル信号がＧＢＲトラフィックである時に用いられ、或いは上り制御チャネル信号が周期的レポート情報である時に用いられる。
【０１２６】
ＵＥは、当該サブフレームで上りトラフィックチャネル信号／上り制御チャネル信号を送信することを放棄し、ＳＲＳのみ送信する。この方法は、下りトラフィックがＢＦ伝送技術を用いる時に用いられ、或いは上りトラフィックがチャンネル信号ＮＧＢＲトラフィックである時に用いられ、或いは上り制御チャネル信号が非周期的レポートである時に用いられる。
【０１２７】
５．ＵＥは、１本のアンテナにおいて受信した信号強度が始終に他のアンテナよりも小さく、且つ確率が８０％（ほかの確率に設定されてもい）よりも大きいと、ＵＥは、ＳＲＳ、上りトラフィックチャネル信号および上り制御チャネル信号の上り送信アンテナ選択用の下り参照情報の測定を終了させる。すべての上り情報は、受信信号が大きいアンテナのみで送信される。
【０１２８】
そのうち、具体的な実施形態１および実施形態２は、閉ループ方法であり、ＵＥの情報を上り送信するアンテナが基地局側により提供される。具体的な実施形態３、実施形態４、実施形態５は、開ループ方法であり、ＵＥの上り送信アンテナの情報がＵＥ側により提供される。閉ループと比べて、ＵＥの上り送信アンテナ選択がより柔軟的である。この２種の態様において、ＳＲＳおよび上りトラフィックチャネル信号／上り制御チャネル信号の上り送信アンテナが同一サブフレームで一致しない時の解決手段が提案され、いずれも端末アンテナのラウンド送信技術の実現コストを低下させることができる。それと同時に、上り送信アンテナが同一サブフレームにおける同一アンテナに集積されるため、基地局の受信コストも低下させる。
【０１２９】
以下は、図面を参照して本発明について説明する。
【０１３０】
図４は、本発明に係るハードウェア環境を示す図である。図５および図６は、本発明の実施例に係るアンテナのラウンド送信技術を示すフローチャットである。そのうち、図５は、閉ループのアンテナのラウンド送信技術フローに対し、図６は、開ループのアンテナのラウンド送信技術フローに対する。以下は、図５および図６について説明する。
【０１３１】
図５に示すように、
ＵＥは、マルチアンテナにおいてＳＲＳのラウンド送信を行うステップＳ５０２と、
基地局は、ＳＲＳ信号を受信し、ＳＲＳを上り送信する毎本のアンテナにおける信号強度を判断し、選択結果をＵＥに通知し、ＵＥがトラフィックまたは制御信号を上り送信するために用いられるステップＳ５０４と、
予め交渉した同一サブフレームにおけるＳＲＳおよび上りトラフィックチャネル信号／制御信号の上り送信アンテナが一致するか否かを判断し、ＹＥＳである場合、ステップＳ５０８に移行し、ＮＯである場合、ステップＳ５１０に移行するステップＳ５０６と、
すべての上り情報を同一サブフレームで上り送信するステップＳ５０８と、
当該サブフレームにおけるすべての上り送信情報の上り送信アンテナをＳＲＳの上り送信アンテナと一致させ、或いはＳＲＳの上り送信アンテナを上りトラフィックチャネル信号／上り制御チャネル信号の上り送信アンテナと一致させ、或いは、ＵＥがＳＲＳの上り送信を放棄し、或いはＵＥがトラフィックチャネル信号／上り制御チャネル信号の上り送信を放棄するステップＳ５１０と、
基地局は、マルチアンテナにおける１本のアンテナ信号強度が始終に他のアンテナよりも大きいか否かを判断し、ＹＥＳである場合、ステップＳ５１４に移行し、ＮＯである場合、ステップＳ５０２に移行するステップＳ５１２と、
アンテナのラウンド送信を終了させるステップＳ５１４と、を含む。
【０１３２】
図６に示すように、
ＵＥは、基地局が下がり送信する参照情報を受信し、毎本のアンテナにおける信号強度を判断するステップＳ６０２と、
同一サブフレームにおけるＳＲＳおよび上りトラフィックチャネル信号／制御信号の上り送信アンテナが一致するか否かを判断し、ＹＥＳである場合、ステップＳ６０６に移行し、ＮＯである場合、ステップＳ６０８に移行するステップＳ６０４と、
すべての上り情報を同一サブフレームで上り送信するステップＳ６０６と、
当該サブフレームにおけるすべての上り情報の上り送信アンテナをＳＲＳの上り送信アンテナと一致させ、或いは、ＳＲＳの上り送信アンテナを上りトラフィックチャネル信号／上り制御チャネル信号の上り送信アンテナと一致させ、或いは、ＵＥは、ＳＲＳの上り送信を放棄し、或いは、ＵＥは、トラフィックチャネル信号／上り制御チャネル信号の上り送信を放棄するステップＳ６０８と、
ＵＥは、マルチアンテナにおける１本のアンテナ信号強度が始終に他のアンテナよりも大きいか否かを判断し、ＹＥＳである場合、ステップＳ６１２に移行し、ＮＯである場合、ステップＳ６０２に移行するステップＳ６１０と、
ＵＥは、ＳＲＳ、上りトラフィックチャネル信号／上り制御チャネル信号の送信アンテナを判断するための下り参照情報の検出を終了させ、すべての上り情報を同一アンテナで上り送信するステップＳ６１２と、
ＵＥは、アンテナのラウンド送信を終了させた後、他のアンテナにおける信号強度が現在の上り送信アンテナにおける強度よりも大きいことが現れるか否かを判断する、ＹＥＳである場合、ステップＳ６０２に移行し、ＮＯである場合、フローが終了するステップＳ６１４と、を含む。
【０１３３】
実施例３
【０１３４】
上述した実施形態の説明により、当業者にとっては、上述した実施例に係る方法は、ソフトウェアプラス必要となる汎用ハードウェアプラットフォームの形態で実現されてもよく、もちろんハードウェアで実現されてもよいが、多数の場合で、前者がより良い実施形態であることをはっきりと知ることができる。このような理解を基に、本発明の技術方案、或いは従来技術に貢献する部分は、実質的に、ソフトウェア製品の形態で表現されてもよい。当該コンピュータソフトウェア製品は、１つの記憶媒体（例えば、ＲＯＭ／ＲＡＭ、磁気ディスク、コンパクトディスク）に記憶され、１台の端末機器（携帯電話、コンピュータ、サーバー、またはネットワーク機器などであってもよい）が本発明の各実施例に記載される方法を実行するために用いられる幾つかの指令を含む。
【０１３５】
実施例４
【０１３６】
本実施例において、上り情報の送信装置がさらに提供される。当該装置は、上述した実施例および好ましい実施形態を実現するために用いられ、既に説明されたものについて繰り返し説明しない。以下に用いられる「モジュール」という用語とは、所定の機能を実現できるソフトウェアおよび／またはハードウェアの組み合わせを指す。以下の実施例に記載される装置は、ソフトウェアで実現されることが好ましいが、ハードウェア、またはソフトウェアとハードウェアの組み合わせによる実現は、可能で、構想されるものである。
【０１３７】
図７は、本発明の実施例に係る第１の上り情報の送信装置の構造ブロック図であり、当該装置は、ＵＥに適用されてもよい。図７に示すように、当該装置は、第１の確定モジュール７０２および送信モジュール７０４を含む。以下は、当該装置について説明する。
【０１３８】
第１の確定モジュール７０２は、同一サブフレームで第１の上り情報および第２の上り情報を送信するための上り送信アンテナを確定するように構成され、そのうち、当該第１の上り情報は、ＳＲＳを含み、当該第２の上り情報は、上りトラフィックチャネル信号、上り制御チャネル信号のうちの少なくとも１つを含む。送信モジュール７０４は、前記第１の確定モジュール７０２に接続され、確定した前記上り送信アンテナを用いて第１の上り情報および第２の上り情報の送信処理を実行するように構成される。
【０１３９】
好ましい実施例において、前記第１の確定モジュール７０２は、マルチアンテナにおいて無線アクセスシステムデバイスへ第１の上り情報をラウンド送信するように構成される送信ユニットと、無線アクセスシステムデバイスからの第１の指示メッセージを受信し、前記第１の指示メッセージは、前記マルチアンテナのうち前記第２の上り情報を送信するためのアンテナを指示するために用いられ、指示した前記アンテナは、前記無線アクセスシステムデバイスが前記マルチアンテナにおいてラウンド送信する前記第１の上り情報に基づいて確定されるものであるように構成される第１の受信ユニットと、第１の指示メッセージにより指示されるアンテナが上り送信アンテナであることを確定するように構成される第１の確定ユニットと、を含む。
【０１４０】
好ましい実施例において、前記第１の受信ユニットは、無線アクセスシステムデバイスが下り制御情報（Ｄｏｗｎｌｉｎｋ  Ｃｏｎｔｒｏｌ  Ｉｎｆｏｒｍａｔｉｏｎ、ＤＣＩと略称される）により通知する第１の指示メッセージを受信するように構成される。つまり、無線アクセスシステムデバイスは、ＤＣＩによって具体的な上り送信アンテナをＵＥに通知することができ、もちろん、無線アクセスシステムデバイスは、他の形態でＵＥに通知することもできる。
【０１４１】
好ましい実施例において、前記装置は、さらに、マルチアンテナにおいて無線アクセスシステムデバイスへ前記第１の上り情報をラウンド送信した後、無線アクセスシステムデバイスからの第２の指示メッセージを受信し、当該第２の指示メッセージに基づいてマルチアンテナにおいて無線アクセスシステムデバイスへ第１の上り情報をラウンド送信することを終了させるために用いられる。本実施例において、無線アクセスシステムデバイスは、同一サブフレームで、あるアンテナにおいて受信した信号強度が始終に他のアンテナよりも大きいと判断した場合、マルチアンテナのラウンド送信の無効状態に移行することをＵＥに通知することができる。好ましくは、無線アクセスシステムデバイスは、上位層配置情報によってアンテナのラウンド送信が無効であることをＵＥに通知することができる。第１の上りメッセージのラウンド送信を終了させ、第２の上り情報に対応するアンテナ選択送信機能を終了させる。
【０１４２】
好ましい実施例において、前記第１の確定モジュール７０２は、マルチアンテナによって無線アクセスシステムデバイスからの参照情報を受信するように構成される第２の受信ユニットと、参照情報に基づいてマルチアンテナから上り送信アンテナを確定するように構成される第２の確定ユニットとを含む。
【０１４３】
好ましい実施例において、前記参照情報は、参照信号情報、トラフィックチャネル情報のうちの少なくとも１つを含む。なお、前記参照情報は、幾つかの好ましい実施例に過ぎず、実際適用において、他の参照情報を用いてもよい。
【０１４４】
好ましい実施例において、前記第２の確定ユニットは、マルチアンテナによって前記参照情報を受信する受信品質に基づいてマルチアンテナから前記上り送信アンテナを選択するように構成される。
【０１４５】
好ましい実施例において、前記装置は、さらに、前記マルチアンテナにおいて無線アクセスシステムデバイスからの参照情報を受信した後、マルチアンテナにおける第１のアンテナにおいて参照情報を受信する受信品質が他のアンテナよりも高いと確定した場合、マルチアンテナから上り送信アンテナを選択するフローを終了させ、第１のアンテナが前記上り送信アンテナであることを確定するために用いられる。つまり、本実施例において、ＵＥは、あるアンテナにおいて受信した信号品質が始終に他のアンテナよりも大きいと、ユーザデバイスＵＥは、第１の上り情報および第２の上り情報のアンテナ選択用の測定を終了させ、すべての上り情報を受信信号の強いアンテナのみで送信する。
【０１４６】
好ましい実施例において、前記装置は、さらに、前記マルチアンテナから上り送信アンテナを選択するフローを終了させた後、マルチアンテナにおける第２のアンテナにおいて参照信号を受信する受信品質が第１のアンテナよりも高い場合、マルチアンテナから上り送信アンテナを選択するフローを再開するために用いられる。本実施例において、ＵＥは、アンテナのラウンド送信を終了させた後、アンテナ信号品質の検出を周期的にトリガーするかまたはイベントトリガーし、現在の選択されたアンテナにおける信号品質が他のアンテナにおける信号品質よりも悪いことを検出した場合、ユーザデバイスＵＥは、アンテナのラウンド送信の下り参照情報の測定を開始し、アンテナのラウンド送信モードに移行する。
【０１４７】
好ましい実施例において、前記受信品質は、受信信号強度、信号対雑音比、パスロスのうちの少なくとも１つを含む。
【０１４８】
好ましい実施例において、無線アクセスシステムデバイスとＵＥとは、上り情報の送信原則を交渉することができ、上り情報の送信を行う場合、交渉した原則に従って送信する。好ましくは、前記送信モジュール７０４は、無線アクセスシステムデバイスと予め交渉した送信原則に従って前記第１の上り情報および第２の上り情報の送信処理を実行するように構成される。そのうち、当該送信原則は、第１の上り情報および第２の上り情報は同一サブフレームにおける上り送信アンテナが同じである場合、第１の上り情報および第２の上り情報が同一サブフレームで送信される原則、および第１の上り情報および第２の上り情報は同一サブフレームにおける上り送信アンテナが異なる場合、第１の上り情報の上り送信アンテナが第２の上り情報の上り送信アンテナを用いる送信形態、第２の上り情報の上り送信アンテナが第１の上り情報の上り送信アンテナを用いる送信形態、サブフレームで前記第１の上り情報を送信することを放棄する送信形態、およびサブフレームで前記第２の上り情報を送信することを放棄する送信形態のうちの少なくとも１つを実行する原則のうちの少なくとも１つを含む。
【０１４９】
図８は、本発明の実施例に係る第２の上り情報の送信装置の構造ブロック図である。当該装置は、無線アクセスシステムデバイスに適用されてもよい。図８に示すように、当該装置は、第２の確定モジュール８０２または下り送信モジュール８０４を含む。以下は、当該装置について説明する。
【０１５０】
第２の確定モジュール８０２は、同一サブフレームでユーザデバイスＵＥが第１の上り情報および第２の上り情報を送信するための上り送信アンテナを確定し、確定した前記上り送信アンテナをＵＥに指示するように構成され、或いは、下り送信モジュール８０４は、マルチアンテナによってユーザデバイスＵＥへ参照情報を下り送信するように構成される。そのうち、当該参照情報は、ＵＥがマルチアンテナから第１の上り情報および第２の上り情報を送信するための上り送信アンテナを選択するために用いられる。そのうち、前記第１の上り情報は、ＳＲＳを含み、第２の上り情報は、上りトラフィックチャネル信号、上り制御チャネル信号のうちの少なくとも１つを含む。
【０１５１】
好ましい実施例において、前記第２の確定モジュール８０２は、ＵＥがマルチアンテナにおいてラウンド送信する第１の上り情報を受信するように構成される受信ユニットと、受信した第１の上り情報に基づいてマルチアンテナのうちＵＥが第２の上り情報を送信するためのアンテナを確定するように構成される第３の確定ユニットと、ＵＥが第２の上り情報を送信するためのアンテナが上り送信アンテナであることを確定するように構成される第４の確定ユニットと、を含む。
【０１５２】
好ましい実施例において、前記第３の確定ユニットは、前記マルチアンテナから、ＵＥが第１の上り情報を送信する信号強度の最も大きいアンテナが前記第２の上り情報を送信するアンテナであることを確定するように構成される。つまり、無線アクセスシステムデバイスは、ＵＥが異なるアンテナで上り送信する信号強度を判断し、信号強度の大きいアンテナを上り送信アンテナとして選択する。
【０１５３】
好ましい実施例において、前記第２の確定モジュール８０２は、下り制御情報ＤＣＩによってＵＥへ第１の指示メッセージを送信するように、確定した前記上り送信アンテナをＵＥに指示することができる。そのうち、当該第１の指示メッセージは、前記上り送信アンテナを指示するために用いられる。つまり、無線アクセスシステムデバイスは、ＤＣＩによって具体的な上り送信アンテナをＵＥに通知することができ、もちろん、無線アクセスシステムデバイスは、他の形態でＵＥに通知することもできる。
【０１５４】
好ましい実施例において、前記装置は、さらに、前記ＵＥがマルチアンテナにおいてラウンド送信する第１の上り情報を受信した後、マルチアンテナにおける第３のアンテナにおいて第１の上り情報を受信する受信品質が他のアンテナよりも高い場合、ＵＥへ第２の指示メッセージを送信するために用いられる。そのうち、当該第２の指示メッセージは、ＵＥがマルチアンテナにおいて無線アクセスシステムデバイスへ第１の上り情報をラウンド送信することを指示するために用いられる。本実施例において、無線アクセスシステムデバイスは、同一サブフレームで、あるアンテナにおいて受信した信号強度が始終に他のアンテナよりも大きいと判断した場合、マルチアンテナのラウンド送信の無効状態に移行することをＵＥに通知することができる。好ましくは、無線アクセスシステムデバイスは、上位層配置情報によってアンテナのラウンド送信が無効であることをＵＥに通知することができる。第１の上りメッセージのラウンド送信を終了させ、第２の上り情報に対応するアンテナ選択送信機能を終了させる。
【０１５５】
好ましい実施例において、前記参照情報は、参照信号情報、トラフィックチャネル情報のうちの少なくとも１つを含む。
【０１５６】
好ましい実施例において、前記装置は、さらに、上り情報を送信するための送信原則をＵＥと予め交渉するために用いられる。そのうち、当該送信原則は、第１の上り情報および第２の上り情報は同一サブフレームにおける上り送信アンテナが同じである場合、第１の上り情報および第２の上り情報が同一サブフレームで送信される原則、および第１の上り情報および第２の上り情報は同一サブフレームにおける上り送信アンテナが異なる場合、第１の上り情報の上り送信アンテナが第２の上り情報の上り送信アンテナを用いる送信形態、第２の上り情報の上り送信アンテナが第１の上り情報の上り送信アンテナを用いる送信形態、サブフレームで前記第１の上り情報を送信することを放棄する送信形態、およびサブフレームで前記第２の上り情報を送信することを放棄する送信形態のうちの少なくとも１つを実行する原則のうちの少なくとも１つを含む。
【０１５７】
本発明の一実施例によれば、ユーザデバイスＵＥおよび無線アクセスシステムデバイスを含む上り情報の送信システムが提供される。そのうち、当該ＵＥは、いずれか一項に記載の第１の上り情報の送信方法を実行するための第１のプロセッサを含み、当該無線アクセスシステムデバイスは、上述したいずれか一項に記載の第２の上り情報の送信方法を実行するための第２のプロセッサを含む。
【０１５８】
なお、上述した各モジュールは、ソフトウェアまたはハードウェアにより実現され、後者に対しては、上述したモジュールがそれぞれ同一のプロセッサに位置するか、或いは上述した各モジュールがいずれの組み合わせの形態でそれぞれ異なるプロセッサに位置するように実現されてもよいが、それに限定されない。
【０１５９】
本発明の実施例は、記憶されたプログラムを含む記憶媒体であって、前記プログラムを実行すると、上述したいずれか一項に記載の方法を実行する記憶媒体をさらに提供する。
【０１６０】
好ましくは、本実施例において、上述した記憶媒体は、Ｕフラッシュドライブ、読み取り専用メモリ（Ｒｅａｄ−Ｏｎｌｙ  Ｍｅｍｏｒｙ、ＲＯＭと略称される）、ランダムアクセスメモリ（Ｒａｎｄｏｍ  Ａｃｃｅｓｓ  Ｍｅｍｏｒｙ、ＲＡＭと略称される）、モバイルハードディスク、磁気ディスクまたはコンパクトディスクなどのプログラムコードを記憶可能な媒体を含んでもよいが、それに限定されない。
【０１６１】
明らかに、当業者であれば、上述した本発明の各モジュールまたは各ステップは、汎用の計算装置により実現されてもよく、これらは単一の計算装置に集積されてもよいか、或いは２つの計算装置からなるネットワークに分布されてもよく、好ましくは、これらは計算装置の実行可能プログラムコードで実現されてもよいことで、記憶装置に記憶されて計算装置により実行されてもよいと共に、ある場合に、ここでの順番と異なるもので、示されているか或いは記載されているステップを実行してもよいか、或いはこれらをそれぞれ各集積回路モジュールとして製作するか、或いはこれらうちの２つのモジュールまたはステップを単一の集積回路モジュールとして製作することにより実現されてもよいことを理解すべきである。このように、本発明は、いずれの特定のハードウェアとソフトウェアとの組み合わせに限定されない。
【０１６２】
以上の説明は、本発明の好ましい実施例に過ぎず、本発明を限定するためのものではない。当業者にとって、本発明は、様々な変更および変化を行うことができる。本発明の原則以内に行われるいずれの修正、等価置換、改良などは、本発明の保護範囲に含まれるべきである。
【産業上の利用可能性】
【０１６３】
本発明の実施例によれば、確定された上り送信アンテナは、第１の上り情報および第２の上り情報を送信するために用いられてもよいため、同一サブフレームにおける前記情報の上り送信アンテナの一致性を確保する。そのため、関連技術に存在する同一サブフレームで上り情報の上り送信アンテナが一致しないことに起因して端末のコストが増加し、無線リンクの復調の複雑度が高く、リンクの処理リアルタイム性が確保できないという問題を解決することができ、端末のコストの増加を回避し、無線リンクの復調の複雑度を低下させ、リンクの処理リアルタイム性を確保するという効果を達成する。
【図１】
2020527319.tif 000003
【図２】
2020527319.tif 000004
【図３】
2020527319.tif 000005
【図４】
2020527319.tif 000006
【図５】
2020527319.tif 000007
【図６】
2020527319.tif 000008
【図７】
2020527319.tif 000009
【図８】
2020527319.tif 000010
【国際調査報告】
2020527319.tif 000011
2020527319.tif 000012
2020527319.tif 000013
2020527319.tif 000014